(57)【要約】【課題】造花が支持具から抜け落ちにくい造花飾りを提供することを目的とする。【解決手段】造花１１と造花１１を支持する支持具２０とを備えた造花飾り１０であって、支持具２０は、複数の造花１１の茎部１２を結束材１３により束ねた結束茎１５を嵌入するための嵌入穴２９を有し、嵌入穴２９は、断面が奥へ向かって徐々に小さくなるように延びるテーパー部２９ｂを有し、嵌入された造花１１が抜出しないよう、テーパー部２９ｂの内壁面には、結束材１３の一部が嵌合する嵌合凹部２８が凹設されていることを特徴とする造花飾り。【選択図】図１
2011153393.tif 000002
【特許請求の範囲】
【請求項１】
造花と該造花を支持する支持具とを備えた造花飾りであって、
前記支持具は、造花の茎部を嵌入するための嵌入穴を有し、
前記嵌入穴には、嵌入された造花が抜出しないよう、前記茎部を掛止する掛止手段が設けられていることを特徴とする造花飾り。
【請求項２】
前記茎部は、複数の茎部を結束材により束ねた結束茎である請求項１記載の造花飾り。
【請求項３】
前記掛止手段は、前記嵌入穴の内壁面に凹設され、前記結束材の一部が嵌合する嵌合凹部である請求項２記載の造花飾り。
【請求項４】
前記掛止手段は、前記嵌入穴の内壁面に突設され、先端部が前記茎部に係合する係合突起である請求項１又は２記載の造花飾り。
【請求項５】
前記嵌入穴は、奥に向かって徐々に断面が小さくなるテーパー部を有する請求項１〜４のいずれか一項に記載の造花飾り。
【請求項６】
前記嵌合凹部又は係合突起は、前記テーパー部の内壁面に設けられている請求項５記載の造花飾り。
【発明の詳細な説明】
【技術分野】
【０００１】
本発明は、造花とその造花を支持する支持具とを備えた、室内等を装飾するための造花飾りに関するものである。
【背景技術】
【０００２】
今日、室内等の装飾に造花が用いられる場合がある。その場合、生花と同じように花瓶等の花器を用いて飾るだけでなく、造花用の支持具等の器具を用いて飾ることがある。そのため、造花を飾るための器具として、様々なものが提案されている。例えば、特許文献１に記載の造花器のように、容器にビニールチューブ等の弾力性のあるチューブを取付け、そのチューブに造花を差し込むことで造花を支持して使用するものや、特許文献２に記載の造花差し器のように、連続螺旋状に巻成形したコイル筒体の片方終端巻部にコイル筒体の中心軸と略平行となるフックを形成し、コイル筒体に造花を差し込むことで造花を支持して使用するものや、特許文献３に記載の飾り具のように、セラミックス、合成樹脂等からなる基材に、その外周面に開口し、造花の茎や葉等の装飾体を挿入可能な差し込み穴を上向き又は斜め上向きに一以上設けたもの等がある。
【０００３】
しかし、これらの器具は、基本的に静止したところで使用するものであり、茎を穴に差し込むことで造花を支持していることから、造花を保持する力が弱く、自動車等の車内等のように振動等により安定しないところでは、造花が器具から抜け落ちてしまい、使用することができなかった。
【０００４】
また、室内等の装飾の他に、例えばコサージュ等のように装身具として使用するときには、茎を短くした造花が用いられる上に、前屈みになったときなどは天地が反転することから、茎を穴に差し込むことだけで造花を支持する器具については装身具として用いることができなかった。
【先行技術文献】
【特許文献】
【０００５】
【特許文献１】実開昭５４−１３９５９６号公報
【特許文献２】実開昭５６−４８５２３号公報
【特許文献３】特開平１０−２３７７１４号公報
【発明の概要】
【発明が解決しようとする課題】
【０００６】
そこで、本発明は、造花が支持具から抜け落ちにくい造花飾りを提供することを目的とする。
【課題を解決するための手段】
【０００７】
上記課題を解決するために、本発明の造花飾りは、造花と該造花を支持する支持具とを備えた造花飾りであって、前記支持具は、造花の茎部を嵌入するための嵌入穴を有し、前記嵌入穴には、嵌入された造花が抜出しないよう、前記茎部を掛止する掛止手段が設けられていることを特徴とする。
【０００８】
ここで嵌入穴の態様としては、特に限定はされないが、断面が開口から奥へと略同じ大きさになるようストレート状に延びる態様、断面が奥へ向かって徐々に小さくなる（縮径する）ようテーパー状に延びる態様、断面が奥へ向かって徐々に大きくなる（拡径する）よう逆テーパー状に延びる態様、これらの態様を区間毎に用いることでこれらの態様を組合わせた態様等が例示でき、嵌入された茎部をより強く挟持できることから、テーパー状に延びるテーパー部を少なくとも一部に有することが好ましい。
また、嵌入穴の断面形状（長さ方向と直交する断面の形状）としては、特に限定はされないが、円形状、楕円形状、三角形状、矩形状、多角形状、Ｕ字形状等が例示できる。
【０００９】
掛止手段としては、特に限定はされないが、茎部が細い造花等を支持する場合には、複数の茎部を結束材により束ねた結束茎を掛止するものであることが好ましい。また、掛止手段の具体的態様としては、特に限定はされないが、嵌入穴の内壁面に凹設され、結束材の一部が嵌合する嵌合凹部、又は嵌入穴の内壁面に突設され、先端部が茎部に係合する係合突起であることが好ましい。
【００１０】
嵌合凹部の態様としては、特に限定はされないが、結束材の一部が嵌合しやすいことから、テーパ部の内壁面に設けられていることが好ましい。
また、嵌合凹部の形態としては、特に限定はされないが、嵌入穴の周方向に一周する溝状に凹設されている形態、嵌入穴の周方向に断続する溝状に凹設されている形態等が例示できる。
【００１１】
係合突起の態様としては、特に限定はされないが、嵌入穴の周方向に一周するように設けられている態様、嵌入穴の周方向に断続して設けられている態様等が例示できる。嵌入穴の周方向に断続して設けられている場合には、茎部により強く係合できることから、嵌入穴の軸線に対し、左右対称になるように設けられていることが好ましい。
また、茎部により強く係合できることから、テーパ部の内壁面に設けられていることが好ましい。
【００１２】
支持具の態様としては、特に限定はされないが、本体部と該本体部に外嵌するカバー部とを備え、嵌入穴の内壁面は、本体部に凹設された溝の内面とこの溝を覆うカバー部の内面とからなることが好ましい。これは、カバー部の内面の一部が嵌入穴の内壁面の一部となることで、本体部とカバー部との嵌合により茎部を挟持できると共に、カバー部を本体部から外すことにより、嵌入穴は本体部に凹設された溝となり、容易に茎部を抜出することができるようになるからである。
【００１３】
結束材としては、特に限定はされないが、ゴム輪、紐、粘着テープ等が例示でき、変形して嵌合凹部に嵌合しやすいことから、粘着テープであることが好ましい。
【００１４】
茎部としては、特に限定はされないが、一つでもよいし、複数でもよく、また、複数の場合には、結束材等により束ねなられていてもよいし、束ねられていなくてもよい。
【００１５】
造花飾りの用途としては、特に限定はされないが、造花を支持した状態で、壁等に取り付けて室内を装飾する室内装飾具、自動車等の車内に取り付けて車内を装飾する車内装飾具又は衣服に取り付けて装飾する装身具等が例示できる。
【発明の効果】
【００１６】
本発明によれば、造花が支持具から抜け落ちにくい造花飾りを提供することができる。
【図面の簡単な説明】
【００１７】
【図１】本発明の実施例１の造花飾りの斜視図である。
【図２】同造花飾りの支持具の分解斜視図である。
【図３】同支持具の平面図、正面図及び断面図である。
【図４】同造花飾りの取付具及びその変更例の斜視図である。
【図５】同造花飾りの支持台の斜視図及び側面図である。
【図６】同造花飾りの支持具に造花を支持させる仕方を説明する模式図である。
【図７】本発明の実施例２の造花飾りの斜視図である。
【図８】同造花飾りの支持具の分解斜視図である。
【図９】同支持具の平面図、正面図及び断面図である。
【発明を実施するための形態】
【実施例１】
【００１８】
本発明の実施例の造花飾り１０を図１〜図６を用いて説明する。
【００１９】
図１に示すように、本実施例の造花飾り１０は、二本の造花１１と、その造花１１を支持する支持具２０と、支持具２０を壁等に取り付けるための取付具４０とを備えている。
【００２０】
造花１１は、それぞれの茎部１２を互いに密接した状態にし、茎部１２に粘着テープ１３を巻き付けることで結束されている。そして、この状態で後述する嵌入穴２９に茎部１２を嵌入している。なお、本実施例では、用いる造花１１の本数は２本であるが、その本数は任意に選択することができる。
【００２１】
支持具２０は、樹脂を成形してなる本体部２１と、同じく樹脂を成形してなり、本体部２１に外嵌するカバー部３０とからなる。
【００２２】
本体部２１は、台形板状で貫通孔２７が三つ穿設されている板部２２と、板部２２から上方へと延び上端部後面に取付具４０が取着している取着部２３と、板部２２の前面２４から前方へと隆起し、上端から下端へと延びる３本の穴溝２５が凹設されている隆起部２６とを有する。
【００２３】
穴溝２５は、長さ方向と直交する断面がＵ字状をしている。そして、その上端から略中央までは、幅及び深さが共に４ｍｍで変化しないストレート部２５ａとなっており、略中央から下端までは、幅及び深さが共に徐々に小さくなり下端では幅及び深さが共に２ｍｍであるテーパー部となっている。そして、略中央より下方の位置には、正面から見て円弧状の嵌合凹部２８が凹設されている。嵌合凹部２８は、穴溝２５の内壁面に前方から後方に向かって略水平に延びる溝状に形成されており、穴溝２５の軸線を挿んで左右略対象となるようにして、各穴溝２５に二つ設けられている。
【００２４】
カバー部３０は、板部２２の下方と両側方とを覆うように形成されている。また、カバー部３０が本体部２１と嵌合できるよう、板部２２の貫通孔２７に嵌入する嵌合突起３１が貫通孔２７に対応する位置に三本形成されている。そして、カバー部３０が本体部２１に外嵌することで、穴溝２５はその前方と下方とがカバー部３０により覆われ、有底の嵌入穴２９となっている。嵌入穴２９は、略中央より上方の開口側はストレート部２９ａに、略中央より下方の奥側はテーパー部２９ｂにそれぞれなっている。
【００２５】
取付具４０には、バネにより付勢されたクリップ４１が設けられ、このクリップ４１により所望の取り付け場所に挟着される、例えば、衣服の胸ポケットに取り付ける場合には、胸ポケットの口付近の布をクリップ４１が挟持することで挟着される。また、取付具４０は、接着剤が塗布された粘着シート４２を介して、支持具２０に貼着されている。なお、取付具４０は、粘着シート４２と共に支持具２０から取り外すことができ、例えば、図４に示すように、安全ピン４７を有する取付具４６（図４ｂ）又は磁石からなる取付具４５（図４ｃ）に取り替えることができる。また、図４ｄに示すように、吸盤４８をクリップ４１で挟持して用いることもできる。
【００２６】
また、図５ａに示すように、傾動可能に支持された支持板６１を備えた支持台６０に取り付けて用いることもでき、図５ｂに示すように、支持板６１を傾動させることにより、造花飾り１０の向きを変えることができる。なお、支持台６０は、底面の粘着シート６２により、所望の場所に固定できるようになっている。
【００２７】
次に、造花１１を支持具２０に支持させる仕方について図６を用いて説明する。
先ず、図６ａに示すように、二本の造花１１をそれぞれの茎部１２が互いに密接して沿うようにし、その状態で互いに密接している茎部１２に粘着テープ１３を巻きつけ、二本の造花１１の茎部１２を結束させて結束茎１５にする。
その後、図６ｂに示すように、結束茎１５を嵌入穴２９に挿入する。なお、そのとき、巻き付けた粘着テープ１３の一部が嵌合凹部２８に嵌合するよう、粘着テープ１３が嵌合凹部２８付近にくるように結束茎１５の長さを調節する。また、本実施例では、三つある嵌入穴２９のうち真中のものに結束茎１５を挿入しているが、結束茎１５を挿入する嵌入穴２９は任意に選択することができる。また、複数の嵌入穴２９にそれぞれ結束茎１５を挿入して用いることもできる。
そして、図６ｃに示すように、嵌入穴２９の奥側は、テーパー部２９ｂとなっており、奥になるほど断面が小さくなることから、嵌入穴２９に結束茎１５を嵌入することで、結束茎１５（特に粘着テープ１３）は変形し、粘着テープ１３の一部は膨れて、嵌合凹部２８に嵌合する。
このように粘着テープ１３の一部が膨れ嵌合凹部２８に嵌合することから、図６ｄに示すように、茎部１２が上方に移動しようとすると、嵌合凹部２８に嵌合している粘着テープ１３の一部が嵌合凹部２８に掛止され結束茎１５の上方への移動を規制する。一方、カバー部３０を本体部２１から外すことにより、嵌入穴２９は穴溝２５となることから、容易に結束茎１５を穴溝２５から外すことができる。
【００２８】
本実施例は、粘着テープ１３の一部が嵌合凹部２８に嵌合することで、嵌入穴２９における結束茎１５の移動が規制され、造花１１は嵌入穴２９から抜出しにくくなる。そのため、造花飾り１０は、造花１１が支持具２０から抜け落ちにくい造花飾りとなっている。一方、カバー部３０を本体部２１から外すことにより、容易に造花１１を嵌入穴２９から外すことができることから、造花１１等の交換が容易に行える。
【実施例２】
【００２９】
本発明の別の実施例の造花飾り５０を図７〜図９を用いて説明する。造花飾り５０は、支持具５１の本体部５２の各穴溝２５に嵌合凹部の替わりに、係合突起５５、５６が形成されている点が、上記実施例（実施例１）と異なり、その他の点については、上記実施例と同じである。そこで、上記実施例と異なる点について以下に説明する。なお、上記実施例と同じ部材等には、同じ符号が付してある。
【００３０】
造花飾り５０の各穴溝２５には、二対の係合突起５５、５６が上下に形成されている。上側に形成されている一対の上係合突起５５は、穴溝２５の略中央より上方、即ち、穴溝２５の断面の大きさが変化しないストレート部２５ａの中間に形成され、下側に形成されている一対の下係合突起５６は、穴溝２５の略中央より下方、即ち、穴溝２５の断面の大きさが下に行くほど徐々に小さくなるテーパー部２５ｂの中間に形成されている。各対の係合突起５５、５６は、共に穴溝２５の軸線を挿んで左右略対象となっており、穴溝２５の内壁面から突出した楔状をして、前方から後方へと略水平に延びている。そして、各係合突起５５、５６の下側の面は、穴溝２５の軸線と直交する面であり、上側の面は、先端ほど係合突起５５、５６が細くなるよう、傾斜している。
【００３１】
本実施例は、係合突起５５、５６（特に下係合突起５６）の先端が結束茎１５に係合することで、嵌入穴２９における結束茎１５の移動が規制され、造花１１は嵌入穴２９から抜出しにくくなる。そのため、造花飾り５０は、造花１１が支持具５１から抜け落ちにくい造花飾りとなっている。一方、カバー部３０を本体部５２から外すことにより、嵌入穴２９は穴溝２５となることから、容易に結束茎１５を穴溝２５から外すことができ、造花１１等の交換が容易に行える。
【００３２】
本発明は、前記実施例に限定されるものではなく、発明の趣旨から逸脱しない範囲で、適宜変更して具体化することもできる。
【符号の説明】
【００３３】
１０    造花飾り
１１    造花
１２    茎部
１３    粘着テープ
１５    結束茎
２０    支持具
２８    嵌合凹部
２９    嵌入穴
２９ｂ  テーパー部
５０    造花飾り
５１    支持具
５５    上係合突起
５６    下係合突起
【図１】
2011153393.tif 000003
【図２】
2011153393.tif 000004
【図３】
2011153393.tif 000005
【図４】
2011153393.tif 000006
【図５】
2011153393.tif 000007
【図６】
2011153393.tif 000008
【図７】
2011153393.tif 000009
【図８】
2011153393.tif 000010
【図９】
2011153393.tif 000011